(57)【特許請求の範囲】
【請求項１】
電話の着信を伝える着信通知として着信音による音通知と振動による振動通知とを行う無線電話機能と、記録媒体に記憶された音声信号を再生する媒体再生機能とを備えた携帯端末装置において、
媒体再生中は、着信通知の選択状態に係わらず着信音による通知を行う着信通知制御手段と、
前記音通知を、ユーザの設定した音楽により行う音楽通知機能とを備え、
前記着信通知制御手段が、媒体再生時には音楽通知機能を停止させ、ブザー音、チャイム音、又はビープ音による音通知を行うものであることを特徴とする携帯端末装置。
【請求項２】
電話の着信を伝える着信通知として着信音による音通知を行う通常モードと振動による振動通知を行う振動モ−ドとのいずれかを選択するためのモード選択手段と、
該モード選択手段により選択されたモードに従い着信通知を行う着信通知手段とを備え、
前記着信通知制御手段が、媒体再生時には着信通知モードを前記通常モードに切替え制御するものであることを特徴とする請求項１記載の携帯端末装置。
【請求項３】
前記着信通知制御手段が、媒体再生時の処理を着信の検出を起点に開始するものであることを特徴とする請求項１又は請求項２記載の携帯端末装置。
【請求項４】
前記着信通知制御手段が、振動モードにおける媒体再生中に着信があった場合には、振動通知を行い、着信から所定時間経過する以前に電話操作がなければ音通知を行うものであることを特徴とする請求項１〜３のいずれかの項に記載の携帯端末装置。
【請求項５】
前記着信通知制御手段が、振動モードにおける媒体再生中に着信があった場合には、振動通知を行い、着信から所定時間経過する以前に媒体再生停止操作がなければ音通知を行うものであることを特徴とする請求項１〜４のいずれかの項に記載の携帯端末装置。
【請求項６】
前記所定時間をユーザ設定可能にする時間設定手段を備えていることを特徴とする請求項４又は請求項５記載の携帯端末装置。
【請求項７】
媒体再生状態が、ヘッドホン接続端子へのヘッドホンの接続状態により検出されるものであることを特徴とする請求項１〜６のいずれかの項に記載の携帯端末装置。
【請求項８】
媒体再生状態が、ヘッドホン接続端子からの再生信号の出力状態により検出されるものであることを特徴とする請求項１〜６のいずれかの項に記載の携帯端末装置。
【請求項９】
所定時間継続して媒体再生状態が検出された時に媒体再生中と判断されるものであることを特徴とする請求項７又は請求項８記載の携帯端末装置。
【請求項１０】
着信音が媒体再生音と同じ電気音響変換器から出力されるものであることを特徴とする請求項１〜９のいずれかの項に記載の携帯端末装置。
【請求項１１】
着信音出力時には、前記媒体再生音の再生が停止されるものであることを特徴とする請求項１〜１０のいずれかの項に記載の携帯端末装置。
【請求項１２】
着信音出力時には、前記媒体再生音の再生音量が低減されるものであることを特徴とする請求項１〜１１のいずれかの項に記載の携帯端末装置。
【発明の詳細な説明】
【０００１】
【発明の属する技術分野】
本発明は、無線電話機能と音楽等の音声再生機能とを備えた携帯端末装置に関する。
【０００２】
【従来の技術】
無線電話、所謂携帯電話機が広く普及し、インターネット接続機能等、多機能化が進んでいる。その代表的機能として音楽等の再生機能がある。これは、音楽配信サービス等により得られた音楽データを携帯電話機内の半導体メモリに記憶し、そのデータを携帯電話機の受話器、あるいは携帯電話機に接続したヘッドホンで聴取可能とするものである。
【０００３】
【発明が解決しようとする課題】
このように、携帯電話機に音楽等の再生機能を付加する等、多機能化を進めると消費電力量が増大し、本来の通話に支障をきたす虞がある。また、携帯電話機での音楽再生中に電話がかかってきた場合、音楽を聞いているために呼出動作に気づかないことも生じ、呼出動作の長時間にわたる継続によりさらに消費電力量が増大し、特に呼出機能として呼出音ではなく、携帯電話機の振動による呼出し、所謂バイブ機能を選択している場合においては消費電力量の増大が顕著になる。
【０００４】
本発明はこのような問題に鑑みなされたものであって、無線電話機能と、音楽等の再生機能とを備えた携帯端末装置における、音楽再生動作、電話の呼出動作を制御し、消費電力量を抑えると共に、電話がかかってきたことを確実に報知できるような携帯端末装置を実現することを課題としている。
【０００５】
【課題を解決するための手段及びその効果】
上記課題を解決するために、本発明に係る携帯端末装置（１）は、電話の着信を伝える着信通知として着信音による音通知と振動による振動通知とを行う無線電話機能と、記録媒体に記憶された音声信号を再生する媒体再生機能とを備えた携帯端末装置において、媒体再生中は、着信通知の選択状態に係わらず着信音による通知を行う着信通知制御手段と、前記音通知を、ユーザの設定した音楽により行う音楽通知機能とを備え、前記着信通知制御手段が、媒体再生時には音楽通知機能を停止させ、ブザー音、チャイム音、又はビープ音による音通知を行うものであることを特徴としている。
【０００６】
上記携帯端末装置（１）によれば、媒体再生中は、電話がかかってきたことの報知が着信音により行われる、つまり聞いている音楽に着信音が付加されるような感じで着信音が使用者に伝わるので、携帯端末装置本体をどこに置いていようと使用者に確実に電話の着信を認知させることができる。
また、前記音楽通知機能により、ユーザの設定した音楽による着信通知が設定されていても、音楽による着信通知が停止され、ブザー音、チャイム音、又はビープ音による音通知が行われることにより、再生音楽と着信音とを明確に区別することが可能となり、着信の認知性を高めることができる。
また、媒体再生中は音楽の聴取に気が向いているので振動による着信通知（バイブレータ機能）では使用者が気づきにくいが、本携帯端末装置（１）では、使用者に確実に電話の着信を認知させ、無駄な振動動作による電力の浪費を抑えることができる。
【０００７】
また、本発明に係る携帯端末装置（２）は、携帯端末装置（１）において、電話の着信を伝える着信通知として着信音による音通知を行う通常モードと振動による振動通知を行う振動モードとのいずれかを選択するためのモード選択手段と、該モード選択手段により選択されたモードに従い着信通知を行う着信通知手段とを備え、前記着信通知制御手段が、媒体再生時には着信通知モードを前記通常モードに切り替え制御するものであることを特徴としている。
上記携帯端末装置（２）によれば、媒体再生中は着信通知モードが前記通常モードとなるので、媒体再生中は選択されたモードに係わらず、着信通知が着信音による報知となる。従って、携帯端末装置本体をどこに置いていようと確実に電話の着信を使用者に認知させることができ、また、無駄な振動動作による電力の浪費を確実になくすことができる。
【０００９】
また、本発明に係る携帯端末装置（３）は、上記携帯端末装置（１）又は（２）において、前記着信通知制御手段が、媒体再生時の処理を着信の検出を起点に開始するものであることを特徴としている。
上記携帯端末装置（３）によれば、媒体再生時の処理を必要な時にのみ行うことになるため、使用者に使用上の違和感を抱かせることが少なくなる。
【００１０】
また、本発明に係る携帯端末装置（４）は、上記携帯端末装置（１）〜（３）のいずれかにおいて、前記着信通知制御手段が、振動モードにおける媒体再生中に着信があった場合には、振動通知を行い、着信から所定時間経過する以前に電話操作がなければ音通知を行うものであることを特徴としている。
上記携帯端末装置（４）によれば、先ず設定された振動による着信通知を行い、所定時間内に使用者が気づかない（電話操作がない）場合に着信音による着信報知を行うので、使用者の希望に応じた着信報知がまず行えると共に、使用者に確実に着信を認知させることができ、長時間振動による電力の浪費を抑えることができる。
【００１１】
また、本発明に係る携帯端末装置（５）は、上記携帯端末装置（１）〜（４）のいずれかにおいて、前記着信通知制御手段が、振動モードにおける媒体再生中に着信があった場合には、振動通知を行い、着信から所定時間経過する以前に媒体再生停止操作がなければ音通知を行うものであることを特徴としている。
上記携帯端末装置（５）によれば、上記携帯端末装置（４）と同様の効果を得ることができる。
【００１２】
また、本発明に係る携帯端末装置（６）は、上記携帯端末装置（４）又は（５）において、前記所定時間をユーザが設定するための時間設定手段を備えていることを特徴としている。
上記携帯端末装置（６）によれば、電話の着信に気づかないと判断するための判断時間をユーザが設定できるので、使用者の感性に合致した着信制御を行うことが可能となる。
【００１４】
また、本発明に係る携帯端末装置（７）は、上記携帯端末装置（１）〜（６）のいずれかにおいて、媒体再生状態が、ヘッドホン接続端子へのヘッドホンの接続状態により検出されるものであることを特徴としている。
上記携帯端末装置（７）によれば、ヘッドホンの使用状況により音楽等の再生状態が、つまり使用者による音楽聴取状態が確実に検出される。
【００１５】
また、本発明に係る携帯端末装置（８）は、上記携帯端末装置（１）〜（６）のいずれかにおいて、媒体再生状態が、ヘッドホン接続端子からの再生信号の出力状態により検出されるものであることを特徴としている。
上記携帯端末装置（８）によれば、ヘッドホンからの信号出力状態により音楽等の再生状態が、つまり使用者による音楽聴取状態が確実に検出される。尚、無音状態では音楽不聴取状態となり、より実際の状態に合致した制御となる。
【００１６】
また、本発明に係る携帯端末装置（９）は、上記携帯端末装置（７）又は（８）において、所定時間継続して媒体再生状態が検出された時に媒体再生中と判断されるものであることを特徴としている。
上記携帯端末装置（９）によれば、誤った音楽再生操作やノイズ等による、媒体再生の誤検出を確実に防止することができる。
【００１７】
また、本発明に係る携帯端末装置（１０）は、上記携帯端末装置（１）〜（９）のいずれかにおいて、着信音は媒体再生音と同じ電気音響変換器から出力されるものであることを特徴としている。
上記携帯端末装置（１０）によれば、着信音再生のための電気音響変換器と媒体再生用の電気音響変換器とを兼用でき、小型化、低価格化をはかることができる。
【００１８】
また、本発明に係る携帯端末装置（１１）は、上記携帯端末装置（１）〜（１０）のいずれかにおいて、着信音出力時には、前記媒体再生音の再生を停止させるものであることを特徴としている。
上記携帯端末装置（１１）によれば、着信音出力時には、前記媒体再生音の再生が停止されるので、より確実に着信を認知できることとなる。
【００１９】
また、本発明に係る携帯端末装置（１２）は、上記携帯端末装置（１）〜（１１）のいずれかにおいて、着信音出力時には、前記媒体再生音の再生音量が低減されるものであることを特徴としている。
上記携帯端末装置（１２）によれば、着信音出力時には、前記媒体再生音の再生音量が低減されるので、より確実に着信を認知できることとなる。
【００２９】
【発明の実施の形態】
以下、本発明の実施の形態に係る携帯端末装置を図面に基づいて説明する。図１は実施の形態に係る携帯端末装置の概略構成を示すブロック図である。
【００３０】
無線部１は、携帯電話の無線周波数の信号を受信、送信する無線機で、受信回路、送信回路を含んで構成されている。信号処理部２は、無線部１で受信した信号を処理する、また無線部１に送信データを出力するもので、マイクロコンピュータ（マイコン）、Ａ／Ｄ（アナログ−デジタル）変換器、Ｄ／Ａ（デジタル−アナログ）変換器、メモリ等（いずれも図示せず）を含んで構成されている。
【００３１】
信号処理部２は、無線部１から取り込んだ信号のうち音声信号（通話相手の音声）に該当する部分をＤ／Ａ変換して受話スピーカ８に出力して通話相手の音声を再生し、無線部１からの音声信号以外の信号（呼出先電話番号コードや電子メール信号や音楽データ等）に該当する部分を制御部３に出力する。また、送話マイク７から入力された信号をＡ／Ｄ変換して無線部１に出力して通話相手（無線電話局）に音声信号を送信し、また制御部３からの各種信号（呼出先電話番号コードや音声以外（例えば電子メールや音楽データ）のデータ等）を無線部１に出力して通話相手（無線電話局）に送信する。
【００３２】
制御部３は、携帯端末装置の総合制御を行うもので、マイコン、メモリ、Ｄ／Ａ変換器等（いずれも図示せず）を含んで構成されている。制御部３には、各種操作を行うための押釦スイッチ等からなる入力操作部５と、各種表示を行うための液晶表示器等からなる表示部６が接続されている。また、制御部３には、着信音再生等の音声信号出力用のスピーカ９、及び着信を振動により通知するための振動発生器１３が接続されている。振動発生器１３は、軸に重心が偏心した重りが固定されたモータ等により構成されている。また、制御部３にはヘッドホンジャック１２が接続され、ヘッドホン１０のヘッドホンプラグ１１が接続できるようになっている。そして、ヘッドホンジャック１２には、ヘッドホンプラグ１１の挿入により操作されるマイクロスイッチ等から構成されるヘッドホン接続検出器（図示せず）が設けられている。
【００３３】
音楽再生部４は、内蔵する（着脱可）半導体メモリ（図示せず）に記憶された音楽データを再生するもので、マイコンを含んで構成されている。音楽再生部４はその動作が制御部３からの制御信号により制御され、音楽データを信号処理部２あるいは制御部３に出力する。音楽再生は、ヘッドホン１０が接続されている場合には制御部３を介してヘッドホン１０から行われ、ヘッドホン１０が接続されていない場合には信号処理部２を介して受話スピーカ８から行われる。
【００３４】
次に、制御部３の行う処理をフローチャートに基づいて説明する。図２は、第１の実施の形態に係る携帯端末装置における制御部３の行う着信処理を示すフローチャートである。この処理は、携帯端末装置の動作開始後、他の処理と共に繰り返し行われる。
【００３５】
ステップＳ１では、着信通知モードが、着信を着信音により通知する通常モードか、振動により通知する振動モードであるかを判断し、振動モードであればステップＳ３に移り、通常モードであればステップＳ２に移る。ステップＳ２では、着信が有るか否かを判断し、有ればステップＳ１４に移り、無ければステップＳ１に戻る。ステップＳ１４では、着信音による着信通知を行い、ステップＳ１に戻る。
【００３６】
ステップＳ３では、着信状態が「着信無し」から「着信有り」に変化したか否かを判断し、変化したと判断すればステップＳ４に移り、変化していないと判断すればステップＳ５に移る。ステップＳ４では、着信からの経過時間を計数するカウンタを初期化（０にする）し、ステップＳ６に移る。尚、カウンタは所定時間毎に１計数する自走カウンタで構成されている。ステップＳ５では、着信か否かを判断し、着信と判断すればステップＳ６に移り、着信でないと判断すればステップＳ１に戻る。ステップＳ６では、通話状態か否かを判断し、通話状態と判断すればステップＳ１に戻り、通話状態でないと判断すればステップＳ７に移る。ステップＳ７では、電話が切断された否か（携帯端末装置の使用者の切断操作、あるいは電話の相手方による切断操作）を判断し、切断されたと判断すればステップＳ１に戻り、切断されていないと判断すればステップＳ８に移る。
【００３７】
ステップＳ８では、音楽再生中か否かを判断し、音楽再生中と判断すればステップＳ９に移り、音楽再生中でないと判断すればステップＳ１３に移る。ステップＳ１３では、振動による着信通知を行いステップＳ１に戻る。ステップＳ９では、カウンタの計数値が所定値以上になったか否かを判断し、つまり着信から所定時間が経過したか否かを判断し、着信から所定時間が経過と判断すればステップＳ１０に移り、経過していないと判断すればステップＳ１３に移る。
【００３８】
ステップＳ１０では、音楽再生がヘッドホン１０から行われているのか、受話スピーカ８から行われているのかを判断し、ヘッドホン１０と判断すればステップＳ１１に移り、受話スピーカ８と判断すればステップＳ１２に移る。ステップＳ１１では、ヘッドホン１０から着信音を出力し、ステップＳ１に戻る。ステップＳ１２では、受話スピーカ８から着信音を出力し、ステップＳ１に戻る。
【００３９】
尚、着信音は通常のブザー音、チャイム音だけでなく、使用者が設定したメロディ音（音の情報を記憶しておき、その記憶内容に従って音を再生する。音の情報の記憶は、電話による配信や入力操作部５の操作により可能）とすることもできる。また、音楽再生中は、メロディによる着信通知が設定されていても、メロディによる着信通知を停止し、通常のブザー音、チャイム音に切り換えることにより、再生音楽と着信音を明確に区別することが可能となり、着信の認知性を高めることが可能となる。
【００４０】
以上のような処理により、音楽再生中は、着信通知モードが振動モードであっても、携帯端末装置の使用者が着信から所定時間以上、着信に気が付かないと判断すれば着信音による着信通知が行われるので、使用者が着信を確実に認知でき、また振動による通知の継続時間が制限されるので、電力消費量を低く抑えることができる。
【００４１】
次に、第２の実施の形態に係る携帯端末装置における制御部３Ａの行う着信処理について説明する。図３は、第２の実施の形態に係る携帯端末装置における制御部３Ａの行う着信処理を示すフローチャートである。この処理は、携帯端末装置の動作開始後、他の処理と共に繰り返し行われる。尚、図２に示した第１の実施の形態に係る携帯端末装置における制御部３の行う着信処理を示すフローチャートと同様の処理については、同じ符号を付し（ステップＳ１〜ステップＳ９、ステップＳ１３）説明を省略する。
【００４２】
ステップＳ９では、カウンタの計数値が所定値以上になったか否かを判断し、つまり着信から所定時間が経過したか否かを判断し、着信から所定時間が経過したと判断すればステップＳ１５に移り、経過していないと判断すればステップＳ１３に移る。ステップＳ１５では、着信通知モードを着信音による通常モードとして、ステップＳ１に戻る。
【００４３】
以上のような処理により、音楽再生中は、着信通知モードが振動モードであっても、携帯端末装置の使用者が着信から所定時間以上、着信に気が付かないと判断すれば着信音による着信通知が行われるので、使用者が着信を確実に認知でき、また振動による通知の継続時間が制限されるので、電力消費量を低く抑えることができる。そして、着信通知モードを通常モードにすることにより音楽再生中の着信通知が着信音に切り換わるので、使用者は以降の着信を迅速に認知することが可能となる。
【００４４】
次に、第３の実施の形態に係る携帯端末装置における制御部３Ｂの行う着信処理について説明する。図４は、第３の実施形態に係る携帯端末装置における制御部３Ｂの行う着信モード自動設定処理を示すフローチャートであり、図５は制御部３Ｂの行う着信処理を示すフローチャートである。これらの処理は、携帯端末装置の動作開始後、他の処理と共に繰り返し行われる。
【００４５】
先ず、着信モード自動設定処理を説明する。ステップＳ２１では、着信通知モードが、着信を着信音により通知する通常モードか、振動により通知する振動モードであるかを判断し、振動モードと判断すればステップＳ２２に移り、通常モードと判断すればステップＳ２５に移る。ステップＳ２２では、バッテリの電力残量が少ない（所定量以下）か否かを判断し、少ないと判断すればステップＳ２３に移り、少なくないと判断すれば処理を終える。ステップＳ２３では、着信通知モードを着信音により通知する通常モードとし、ステップＳ２４に移る。ステップＳ２４では、着信通知モードを通常モードとした旨を表示、あるいは音声出力により報知し、処理を終える。
【００４６】
ステップＳ２５では、バッテリの電力残量が少ない（所定量以下）か否かを判断し、少ないと判断すればステップＳ２６に移り、少なくないと判断すればステップＳ２７に移る。ステップＳ２６では、着信通知モードの変更（振動モードへの変更）を禁止し（変更操作を無効とする）、処理を終える。尚、着信通知モードの変更を禁止した旨を表示、あるいは音声出力により報知してもよい。ステップＳ２７では、着信通知モードの変更を許可し（変更操作を有効とする）、処理を終える。尚、着信通知モードの変更を許可した旨を表示、あるいは音声出力により報知してもよい。
【００４７】
次に着信処理を説明する。ステップＳ３１では、着信か否かを判断し、着信と判断すればステップＳ３２に移り、着信でないと判断すれば処理を終える。ステップＳ３２では着信通知モードが、着信を着信音により通知する通常モードか、振動により通知する振動モードかを判断し、振動モードと判断すればステップＳ３３に移り、通常モードと判断すればステップＳ３４に移る。ステップＳ３３では、振動により着信を通知し、処理を終える。ステップＳ３４では、着信音により着信を通知し、処理を終える。
【００４８】
以上のような処理により、バッテリの電力残量が少ない場合には、振動モードが解除されて通常モードになり、また通常モードから振動モードへのモード切替が禁止されるので、電力消費量が低く抑えられ、電話機能を長く持続させることが可能となる。また、振動モードが解除されて通常モードになったこと、また通常モードから振動モードへのモード切替が禁止されたことを、使用者が認識できるので、携帯端末装置の使用上の違和感を無くすことができる。
【００４９】
次に、第４の実施の形態に係る携帯端末装置における制御部３Ｃの行う着信処理について説明する。図６は、第４の実施形態に係る携帯端末装置における制御部３Ｃの行う音楽再生許可・禁止処理を示すフローチャートである。この処理は、携帯端末装置の動作開始後、他の処理と共に繰り返し行われる。
【００５０】
ステップＳ４１では、バッテリの電力残量が少ない（所定量以下）か否かを判断し、少ないと判断すればステップＳ４２に移り、少なくないと判断すればステップＳ４５に移る。ステップＳ４２では、音楽が再生中か否かを判断し、再生中と判断すればステップＳ４４に移り、再生中でないと判断すればステップＳ４３に移る。ステップＳ４３では音楽再生開始を禁止し（再生操作の無効化）、処理を終える。尚、音楽再生開始を禁止した旨を表示、あるいは音声出力により報知する。ステップＳ４４では、音楽再生を停止してステップＳ４３に移る。ステップＳ４５では、音楽再生開始を許可し（再生操作の有効化）、処理を終える。尚、音楽再生開始を許可した旨を表示、あるいは音声出力により報知してもよい。
【００５１】
以上のような処理により、バッテリの電力残量が少ない場合には、音楽再生が停止されると共に、音楽再生開始が禁止されるので、電力消費量が低く抑えられ、電話機能を長く持続させることが可能となる。また、音楽再生開始が禁止されたことを、使用者が認識できるので、携帯端末装置の使用上の違和感を無くすことが可能となる。
【図面の簡単な説明】
【図１】本発明の実施の形態に係る携帯端末装置の概略構成を示すブロック図である。
【図２】第１の実施の形態に係る携帯端末装置における制御部の行う着信処理を示すフローチャートである。
【図３】第２の実施の形態に係る携帯端末装置における制御部の行う着信処理を示すフローチャートである。
【図４】第３の実施の形態に係る携帯端末装置における制御部の行う着信モード自動設定処理を示すフローチャートである。
【図５】第３の実施の形態に係る携帯端末装置における制御部の行う着信処理を示すフローチャートである。
【図６】第４の実施の形態に係る携帯端末装置における制御部の行う音楽再生許可・禁止処理を示すフローチャートである。
【符号の説明】
１・・・無線部
２・・・信号処理部
３・・・制御部
４・・・音楽再生部
７・・・送話マイク
８・・・受話スピーカ
９・・・スピーカ
１０・・・ヘッドホン
１３・・・振動発生器
【図１】
0004502541.tif 000002
【図２】
0004502541.tif 000003
【図３】
0004502541.tif 000004
【図４】
0004502541.tif 000005
【図５】
0004502541.tif 000006
【図６】
0004502541.tif 000007